(57)【要約】【課題】アームが旋回される関節部に配線を内部配置する場合であれ、ロボットとしての高い位置決め精度と良好なメンテナンス性とが維持される水平多関節型ロボットを提供する。【解決手段】水平多関節ロボットは、中空状の第１のアーム１３に基端部が連結固定されるシャフト５０と、シャフト５０の先端部に連結されて同シャフト５０を回転駆動させる駆動装置（第２モーターＭ２と減速機２６）と、同駆動装置を搭載してシャフト５０を回動可能に支持する中空状の支持部としての第２のアーム１５とを備える。また、第１のアーム１３と第２のアーム１５との間には配線ケーブルＣＢが配置されている。シャフト５０は、第１のアーム１３の内部空間１３ｃに繋がる基端部の底面から第２のアーム１５の内部に位置する周側面までを貫通する貫通孔５９ｈを有し、配線ケーブルＣＢは、貫通孔５９ｈに挿通されて第１のアーム１３内と第２のアーム１５内との間に配置される。【選択図】図２
2010149214.tif 000002
【特許請求の範囲】
【請求項１】
中空状のアームと、
基端部が前記アームに連結固定されるシャフトと、
前記シャフトの先端部に連結されて同シャフトを回転駆動させる駆動装置と、
前記駆動装置を搭載して前記シャフトを回動可能に支持する中空状の支持部と、
前記アームと前記支持部との間に配置される接続配線と、
を備える水平多関節型ロボットであって、
前記シャフトは、前記アームの内部に繋がる面である前記基端部の底面から前記支持部の内部に位置する周側面までを貫通する貫通孔を備え、
前記接続配線は、前記貫通孔に挿通されて前記アーム内と前記支持部内との間に配置されることを特徴とする水平多関節型ロボット。
【請求項２】
前記支持部は、該支持部に固定されたベアリングを介して前記シャフトを回動可能に支持しており、
前記貫通孔は、前記ベアリングの内側を通るかたちで前記シャフトに貫通形成されている
請求項１に記載の水平多関節型ロボット。
【請求項３】
前記駆動装置は、前記シャフトの軸心の延長上に配置されている
請求項１又は２に記載の水平多関節型ロボット。
【請求項４】
前記貫通孔は、前記シャフトの中心軸に対する中心角が２７０度以上となる前記周方向にのびるかたちの開口を前記周側面側に有する
請求項１〜３のいずれか一項に記載の水平多関節型ロボット。
【請求項５】
前記シャフトの周方向に対する前記開口の角度が最も大きくなる部分にて、前記シャフトの同開口部の形成されていない側面はその肉厚が同シャフトの軸直径の１／５以上とされる
請求項４に記載の水平多関節型ロボット。
【請求項６】
前記貫通孔の内周面は、連続面として形成されている
請求項１〜５のいずれか一項に記載の水平多関節型ロボット。
【請求項７】
前記アームは、前記基端部側の貫通孔の開口に対向するかたちで前記アームの内部と前記貫通孔を結ぶ連結孔を有し、
前記接続配線は、前記貫通孔から前記連結孔を介して前記中空に配置される
請求項１〜６のいずれか一項に記載の水平多関節型ロボット。
【請求項８】
前記支持部は、前記駆動装置の反力により前記アームの回転軸を中心に旋回される先端側のアームであり、
前記貫通孔は、前記周側面にて前記先端側のアームの長さ方向後側に開口されている
請求項１〜７のいずれか一項に記載の水平多関節型ロボット。
【請求項９】
前記貫通孔から前記支持部側に延出された前記接続配線は、その端部を配線保持装置に保持されており、
同配線保持装置は、前記シャフトの軸心を中心に回動する
請求項１〜８のいずれか一項に記載の水平多関節型ロボット。
【発明の詳細な説明】
【技術分野】
【０００１】
本発明は、複数のアームに跨る接続配線を有する水平多関節型ロボットに関し、特にロボットの関節部への接続配線の配置に関する。
【背景技術】
【０００２】
産業用ロボットのひとつとして、複数のアームが順に水平方向に回動可能に連結された水平多関節型ロボット（スカラーロボット）が知られている。スカラーロボットは、各アームを、関節部を介して支持する他のアーム等の支持部に対して適切な角度に変化させる旋回により、同ロボットの先端部を基台に対して相対移動させる。すなわち、対象物への作業に必要なツールなどがこのようなロボットの先端部に取り付けられることにより対象物への作業位置まで相対移動されて、同ツールなどによる対象物への作業が行われるようになる。
【０００３】
ところで、スカラーロボットの複数のアームの幾つかには、駆動用モーターや同モーター用のエンコーダー、各種センサー及びツールなどの各種装置が設置されている。これら装置の設置に伴いスカラーロボットには、それら装置への動力供給や信号伝達に用いられる電気配線や空気配管などの接続配線が、同装置の配置されたアームまでその他のアームなどを介して配置されることとなる。
【０００４】
このような接続配線は、それが接続される装置まで、スカラーロボットの外部に設けられた配線ダクトを介して配置されることも多いが、近年では、スカラーロボットの内部を通り配置される、いわゆる内部配置されることも少なくない。この内部配置によれば、接続配線は、アームの内部に形成された空間を通り配置されることとなるが、２つのアームが旋回可能に連結されるために構造が複雑である関節部においては内部配置用のスペースの確保が容易ではなく同接続配線の内部配置が容易ではない。
【０００５】
そこで、複数のアームの関節部に接続配線を内部配置することのできる構造を備えたスカラーロボットがいくつか提案されている。例えば、特許文献１に記載のスカラーロボットは、関節部の回転中心から外側にずれた位置にモーターの回転を減速する減速機が設けられ、同減速機の外歯歯車が、旋回されるアームに回転中心を中心として設けられたリング状の内歯歯車に噛合されるようにした。これにより、関節部の回転中心に配線を通すための通路としての貫通孔が設けられるようにしている。
【０００６】
また、特許文献２に記載のスカラーロボットは、中心に孔の形成されたプーリーや減速機などをアームの関節部の回転中心に配置し、その孔に接続配線を配置させるためのガイドパイプを設けた。
【０００７】
一方、特許文献３に記載のスカラーロボットは、２つのアームが関節部の回転中心に設けられたベアリングなどの連結部により連結支持され、その連結部よりも外周側に配線が配置され、一方のアームの連結部の周囲には同配線が相対的に移動される範囲に円弧状の配線挿通孔が形成される。
【特許文献１】特開２００１−３５３６８４号公報
【特許文献２】実開平６−５７５８３号公報
【特許文献３】特開２００３−２２５８８３号公報
【発明の開示】
【発明が解決しようとする課題】
【０００８】
一般的に、スカラーロボットには、広い旋回範囲と高い位置決め精度が求められ、さらにメンテナンスの容易さも求められている。
ところが、特許文献１に記載のスカラーロボットは、リング状の歯車のメンテナンスの際には、その中を通る配線が作業の妨げになるおそれが高く、特に歯車の交換が必要となるような場合には配線を取り外すという煩雑な作業が必要となる。また、この歯車は、位置決め精度に影響を与える最終段に用いられていることからメンテナンスの頻度やレベルの要求も高い。
【０００９】
特許文献２に記載のスカラーロボットも、プーリーや減速機などのメンテナンスの際には、その中を通る配線が作業の妨げになるおそれが高く、特に交換が必要となるような場合には配線を取り外すという煩雑な作業が必要となる。また、内部にガイドパイプが配置されるため大型化されるプーリーや減速機などは、質量の増加や周速の増大などによる磨耗や発熱が生じやすくなり、手厚いメンテナンスが求められるようになるとともに、稼動中には旋回速度が制限されるおそれもある。
【００１０】
特許文献３に記載のスカラーロボットは、一方のアームの連結部の周囲に円弧状の配線挿通孔が形成されるために同連結部の同アームへの剛性の低下が避け難く、これによる位置決め精度の低下が懸念されるとともに、アームの旋回範囲が前記剛性により制約されてしまう問題もある。
【００１１】
本発明は、上記課題を解決するためになされたものであり、その目的は、アームが旋回される関節部に配線を内部配置する場合であれ、ロボットとしての高い位置決め精度と良好なメンテナンス性とが維持される水平多関節型ロボットを提供することにある。
【課題を解決するための手段】
【００１２】
本発明の水平多関節型ロボットは、中空状のアームと、基端部が前記アームに連結固定されるシャフトと、前記シャフトの先端部に連結されて同シャフトを回転駆動させる駆動装置と、前記駆動装置を搭載して前記シャフトを回動可能に支持する中空状の支持部と、前記アームと前記支持部との間に配置される接続配線と、を備える水平多関節型ロボットであって、前記シャフトは、前記アームの内部に繋がる面である前記基端部の底面から前記支持部の内部に位置する周側面までを貫通する貫通孔を備え、前記接続配線は、前記貫通孔に挿通されて前記アーム内と前記支持部内との間に配置されることを要旨とする。
【００１３】
このような構成によれば、ロボットの先端側に設置された各種装置用の電気配線や空気配管などの接続配線がアームを回動させるシャフト内に挿通される場合であれ、その接続配線がシャフトの途中から引出されるため、シャフトの先端に連結されるモーターや減速機などの駆動装置には挿通されないようになる。すなわち、稼動部を有し摩擦や発熱を生じるため手厚いメンテナンスが必要とされる駆動装置の内部に接続配線を配置させる必要がないため、アームと支持部との関節部を構成するシャフト内に接続配線が配置されつつも駆動装置のメンテナンス性が変化したり低下したりすることがなく、メンテナンス性は配線が外部に配置されるロボットと同様に維持される。その結果、水平多関節型ロボットに、メンテナンス性を維持しつつ接続配線を内部配置することができる。
【００１４】
また、この接続配線の内部配置は駆動装置への影響がほとんど生じないため、従来からの駆動装置を有するロボットへの適用も容易であり、すなわち、従来と同様の高い位置決め精度がきわめて容易に維持される。さらに、駆動装置への影響がほとんど生じないことから、その設計の自由度が高く維持され、多くの水平多関節型ロボットへの適用可能性が高い。
【００１５】
この水平多関節型ロボットは、前記支持部は、該支持部に固定されたベアリングを介し
て前記シャフトを回動可能に支持しており、前記貫通孔は、前記ベアリングの内側を通るかたちで前記シャフトに貫通形成されていることを要旨とする。
【００１６】
このような構成によれば、シャフトは貫通孔が内設されている位置にてベアリングを介して回転可能に支持部に支持されるようになる。これにより、アームと支持部とは、円筒形状のシャフトにて直接連結及び支持されるようになり、アームと支持部との間の旋回方向や上下方向の剛性が高く維持されるようになる。
【００１７】
また、アームと支持部との間の回動や剛性が主にベアリングの軸受けにより維持される簡単な構造とされ、これによってもメンテナンス性が向上される。
さらに、アームと支持部はシャフトにより連結されている簡単な構造となることから、アームと支持部とが対向している部分の構造が簡単化されシャフトの周囲の利用可能性が高められ、例えばシャフト周囲の気密性を高めるためのシールの設置が容易に行なえるようにもなる。
【００１８】
この水平多関節型ロボットは、前記駆動装置は、前記シャフトの軸心の延長上に配置されていることを要旨とする。
このような構成によれば、駆動装置からシャフトへの駆動力の伝達経路の構成が簡単化されるようになり、動力伝達の効率が高められるとともに、設計が容易にもなる。
【００１９】
この水平多関節型ロボットは、前記貫通孔は、前記シャフトの中心軸に対する中心角が２７０度以上となる前記周方向にのびるかたちの開口を前記周側面側に有することを要旨とする。
【００２０】
このような構成によれば、貫通孔から支持部側に引出された接続配線は、同配線の両外側面に広いスペースを有するようになり、シャフトが旋回されるとき、同配線の両外側面が貫通孔の開口部の旋回方向の端部に接触しない中心角が大きくなる。これにより、このような貫通孔により配線が内部配置されるロボットの旋回範囲を広くすることができる。
【００２１】
また、接続配線が開口部の旋回方向の端部に接しない角度が大きくなれば、旋回時に接続配線に応力や張力が印加されるおそれも低減され、接続配線の機械的な信頼性が維持されるようにもなる。
【００２２】
この水平多関節型ロボットは、前記シャフトの周方向に対する前記開口の角度が最も大きくなる部分にて、前記シャフトの同開口部の形成されていない側面はその肉厚が同シャフトの軸直径の１／５以上とされることを要旨とする。
【００２３】
このような構成によれば、シャフトがその基端部と先端部との間に大きな開口部を有するような場合であれ、前記シャフトの肉厚を十分に維持することにより、シャフトの先端部に伝達される回転駆動力をシャフトの基端部を介してアームに伝達することができるようになる。
【００２４】
この水平多関節型ロボットは、前記貫通孔の内周面は、連続面として形成されていることを要旨とする。
このような構成によれば、シャフトは、貫通孔が形成された場合であれ応力集中を生じるような角部を有する非連続面などが形成されないことから、その機械的な信頼性が確保されるようになる。
【００２５】
また、接続配線は、貫通孔が連続面であれば同面との間に生じる摩擦力が低く抑えられるようになり、機械的な信頼性の低下が抑制されるようになる。
この水平多関節型ロボットは、前記アームは、前記基端部側の貫通孔の開口に対向するかたちで前記アームの内部と前記貫通孔を結ぶ連結孔を有し、前記接続配線は、前記貫通孔から前記連結孔を介して前記中空に配置されることを要旨とする。
【００２６】
このような構成によれば、シャフト内からアーム内まで接続配線を内部配置することができるようになる。また、接続配線がシャフト内及びアーム内を通るためにその対環境性能がより一層高められる。さらに、ロボット内部の気密性が求められるクリーン環境などにおいては、シャフト内及びアーム内を通じてロボット先端までの内部空間を気密することもできるようになる。
【００２７】
この水平多関節型ロボットは、前記支持部は、前記駆動装置の反力により前記アームの回転軸を中心に旋回される先端側のアームであり、前記貫通孔は、前記周側面にて前記先端側のアームの長さ方向後側に開口されていることを要旨とする。
【００２８】
このような構成によれば、回転軸を中心としたときの先端側のアームの前後の質量のバランス均衡がわずかながらも改善される。また通常、先端側のアームの後方部分の利用価値が低いので、後方部分に接続配線を引き回すことにより先端側のアームの前方部分における各種装置の配置の自由度が制約されない。
【００２９】
この水平多関節型ロボットは、前記貫通孔から前記支持部側に延出された前記接続配線は、その端部を配線保持装置に保持されており、同配線保持装置は、前記シャフトの軸心を中心に回動することを要旨とする。
【００３０】
このような構成によれば、貫通孔の開口の周方向端部に接続配線が接触した場合であれ、配線保持装置の可動範囲内にあっては接続配線がさらに回動するので、シャフトから接続配線へ張力や応力の印加が低減されるようになる。これにより接続配線の機械的な信頼性が向上されるようになるとともに、それに伴いアームの旋回可能な角度も大きくなる。
【発明を実施するための最良の形態】
【００３１】
以下、本発明にかかる水平多関節型ロボットの一実施形態について図面に従って説明する。
図１は、水平多関節型ロボット（ロボット）についての全体の斜視構造を示す斜視図であり、図２は、図１の２−２線における断面構造を示す断面図である。
【００３２】
図１に示すように、ロボットは、基台１１と第１のアーム１３とが関節部を介して連結され、また、第１のアーム１３と第２のアーム１５とが関節部を介して連結されることにより構成されている。すなわちロボットは、床面等に設置された基台１１を有し、その上端部に回動可能に設けられた回転軸装置１２に、第１のアーム１３の基端部が連結固定されている。回転軸装置１２は、その基端部が、基台１１内に設けられた減速機（図示略）などを介して第１モーターＭ１によって正逆回転されることで、基台１１に対して軸心Ｃ１を中心にして回動するようになっている。これにより第１のアーム１３は、回転軸装置１２の軸心Ｃ１を中心にして基台１１に対して水平方向に回動、すなわち水平旋回する。
【００３３】
第１のアーム１３は、アルミニウムなどの金属材料が押し出し成形などにより、高い剛性を有する略角管形状に形成されている。図２に示すように、第１のアーム１３は、その管内にはアームの長さ方向（矢印Ｆ方向と矢印Ｒ方向）に内部空間１３ｃが連続形成されており、その先端部の上面には内部空間１３ｃを外部に連通させる連結孔１３ａが形成されている。なお本実施形態では、第１のアーム１３は、その管の先端（矢印Ｆ方向）側及び基端（矢印Ｒ方向）側に形成される各開口部が金属材料や樹脂材料からなる蓋（図示略）により閉鎖されている。
【００３４】
図１において、第１のアーム１３の先端部に設けられる支持軸装置１４は、その上部を第２のアーム１５の基端部内に配置させることにより第２のアーム１５を回動可能に支持している。第２のアーム１５は、その基端部に第２モーターＭ２が固定されており、同第２モーターＭ２の出力軸が減速機等を介して支持軸装置１４の先端に連結されている。すなわち第２のアーム１５は、図２に示すように、鋳物などにより高い剛性を有する箱形状に形成された筐体２０と、同筐体２０の上部及び側部を覆う樹脂材料などからなるカバー２１とを有している。筐体２０は、その底面２２に周囲が補強部２２ａにより補強された下軸孔２２ｈが形成され、その上面２３に周囲が補強部２３ａにより補強された上軸孔２３ｈが下軸孔２２ｈと同心となるように形成されている。
【００３５】
上軸孔２３ｈには、円筒形状のモーター保持筒２４が筐体２０の上方に突出されるように固定され、同モーター保持筒２４の上端には、前記第２モーターＭ２がフランジ２５Ｆを介して固定されている。また、モーター保持筒２４の筒内の上部には、減速機２６がフランジ２６Ｆを介して固定されている。減速機２６は、例えばハーモニックドライブ（登録商標）などであって、その入力軸が第２モーターＭ２に連結されており、同入力軸に伝達された第２モーターＭ２からの回転力が低回転かつ高トルクに変換されてその出力軸に出力される。減速機２６の出力軸には、支持軸装置１４を構成するシャフト５０が連結されている。
【００３６】
シャフト５０は、鋳物からなり、その軸方向の長さが長さＬ１に形成された軸体であって、その上部（先端部）には減速機２６の出力軸に連結される上部突起５０Ａが形成され、その下部（基端部）には外形が軸直径としてのシャフト径Ｄ１である円筒部５９と同円筒部５９の下端に接するフランジ５０Ｆとが形成されている。フランジ５０Ｆは、シャフト径Ｄ１よりも大きな外径を有しており、筐体２０の底面２２よりも下方に突出されている。また、本実施形態のシャフト５０には、その下部をその軸方向に貫通する貫通孔５９ｈが形成されており、同貫通孔５９ｈはその上方かつシャフト５０の上部の手前に形成される開口部５７にてアーム後端（矢印Ｒ方向）側の外側面に連通されている。すなわち、電気配線や空気配管などの接続配線を内部に配置することが可能である貫通孔５９ｈがシャフト５０の内部には断面形状逆Ｌ字形に形成されている。
【００３７】
シャフト５０の構造について図３〜図５を参照して説明する。
図３は、シャフト５０の斜視図であって、（ａ）は左前を上からみた斜視構造を示す図、（ｂ）は右前を上からみた斜視構造を示す図であり、図４は、図２の４−４線断面構造を示す断面図、図５は、図２の５−５線断面構造を示す断面図である。
【００３８】
詳述すると、上部突起５０Ａはその上面にねじ孔５５が複数形成されており、それらのねじ孔５５にそれぞれ螺合されるボルトなどを介して減速機２６の出力軸に連結される。上部突起５０Ａの下部には、天面５６が設けられている。
【００３９】
天面５６はその直径がシャフト径Ｄ１よりも少し小さい略円板形状に形成されており、天面５６の下方（反上部突起５０Ａ側）には上下方向の長さが長さＬ２の開口部５７が、シャフト５０の軸の一部が外周から軸心方向に向かい深く切り欠かれた態様にて形成されている。また、開口部５７の下部には円周方向に対して同開口部５７を閉じるかたちに天面５６と同心の円状の底円部５８が形成され、同底円部５８が円筒部５９に連続するように形成されている。すなわち、天面５６と底円部５８とは、それらの間に開口部５７を挟むとともに、開口部５７以外の部分としてシャフト５０に残されたかたちの柱状部５０Ｂにより連結されている。柱状部５０Ｂは、天面５６や底円部５８の外周の円弧に沿う外側面５７Ｆを有し、同外側面５７Ｆ側から見ると上下の各端部は広がり中央部は細くなる形状に形成されており、また、同外周面とは反対側の面となる軸心Ｃ２側の面には外周面と
の間に所定の厚みを介して内側面５７Ｒを有している。
【００４０】
図４に示すように、柱状部５０Ｂは、その上下方向中央の細い部分では、シャフト５０の軸心Ｃ２に対する中心角が約９０度以下、本実施形態では７０〜８０度の角度となる中心角θ１となるように形成されている。すなわち柱状部５０Ｂはその周囲が、軸心Ｃ２から中心角θ１以外の範囲（中心角θ２）は全て切り欠かれた状態となっている。また、柱状部５０Ｂの上記部分は、外側面５７Ｆと内側面５７Ｒとの間の厚みが柱厚Ｔ３として形成されている。なお柱厚Ｔ３は、シャフト径Ｄ１の１／２以下かつ１／５以上の厚みとされており、本実施形態ではシャフト径Ｄ１の約１／３の厚みとされている。このような、中心角θ１及び柱厚Ｔ３により、柱状部５０Ｂは、そこに印加される回転力などの力に対して適切な剛性が維持されるようになっており、天面５６が軸心Ｃ２を中心に回転されたときにその回転が底円部５８を介して円筒部５９に適切に伝達されるようになっている。なお、柱状部５０Ｂの形状は、ロボットの質量や運動特性、アームの材料などにより適切な形状が異なるものであり、予め行われる同ロボットの運動に関するシミュレーションや実験、試験などにより適切な形状が定められる。
【００４１】
すなわち、柱状部５０Ｂは、その中心角θ１が最も小さい位置から下方には、末広がりする態様でその中心角θ１が３６０度に向かい徐々に広げられるとともに、その外側面５７Ｆと内側面５７Ｒとの間の厚みが柱厚Ｔ３から厚みＴ２へ徐々に薄くされるように変化されながらその下端が底円部５８に連結されている。また、柱状部５０Ｂは、その中心角θ１が最も小さい位置から上方には、これも末広がりする態様でその中心角θ１が３６０度に向かい徐々に広げられながらその上端を天面５６の下部に連結させている。
【００４２】
図５に示すように、円筒部５９には、前記貫通孔５９ｈがシャフト５０の下部を略軸心Ｃ２に沿って貫通形成され、その下端がフランジ５０Ｆの下面に開口されている。貫通孔５９ｈは、円筒部５９の剛性が、特に軸が湾曲されるような力への剛性が高く維持されるようにその側壁の肉厚は、一般的な管状部材に比較して厚く形成されており、例えばアーム先端側の肉厚が厚みＴ２、アーム後端側の肉厚が厚みＴ１とされている。そして、厚みＴ１と厚みＴ２とが加算された値は、シャフト径Ｄ１の１／２以下かつ１／５以上の厚みとされている。なお、本実施形態では、厚みＴ１と厚みＴ２との和がシャフト径Ｄ１の約１／３の厚みとされるとともに、アーム先端側の肉厚（厚みＴ２）がアーム後端側の肉厚（厚みがＴ１）よりも大きく形成されている。これにより貫通孔５９ｈは、その内周面の断面形状がアーム先端側を押し潰して扁平された円形状として形成されている。
【００４３】
ところで、シャフト５０は上部突起５０Ａとフランジ５０Ｆとの間で軸心Ｃ２を中心とした回転運動を伝達させるが、その回転運動の伝達は開口部５７の形成されたシャフト５０に複雑な応力を生じさせる。このとき、シャフト５０、特に力が狭い範囲に集中される柱状部５０Ｂやそれに連続する部分などに段差などの角部が形成されていると、該角部に力の集中（応力集中）による金属疲労が生じるようになるなど、シャフト５０の耐久性を急速に低下させる要因ともなる。そこでこのシャフト５０においては、開口部５７（天面５６の下面、柱状部５０Ｂ、底円部５８）及び貫通孔５９ｈを構成する各表面は、それら表面にそれぞれ段差などの角部を有さず、さらにそれら表面同士も角部を有さない滑らかな一体の連続面として形成されている。
【００４４】
円筒部５９には、フランジ５０Ｆに当接するように支持軸装置１４を構成するベアリングＢ２が嵌合配置される。また、円筒部５９の外周にはねじ溝（図示略）が形成されており、円筒部５９にベアリングＢ２が嵌合配置された後にそこにナット５１が螺合されることにより、ベアリングＢ２がフランジ５０Ｆとナット５１との間に挟まれるようにして同シャフト５０に高い剛性にて固定される。
【００４５】
ベアリングＢ２は、公知のボールベアリングであり、円筒形の内側リングＢ２ａと外側リングＢ２ｂとを有し、それら内側リングＢ２ａと外側リングＢ２ｂとはそれらの間に配置されたボールなどを介して相互に周方向への回転可能に結合されている。すなわち、内側リングＢ２ａと外側リングＢ２ｂとは同じ軸心を有し、該軸心を中心に回転可能になっている。一方、このようなベアリングＢ２は、内側リングＢ２ａの軸心と外側リングＢ２ｂの軸心とは常に同心となるように構成されており、それら軸心がずれる方向への力に対しては高い剛性を有するようになっている。すなわち、内側リングＢ２ａの軸心に直交する平面と、外側リングＢ２ｂの軸心に直交する平面とは常に平行するようになっている。
【００４６】
内側リングＢ２ａは、そのリング内の内径がシャフト径Ｄ１と略同一の大きさに形成されている。これにより、ベアリングＢ２はその内側リングＢ２ａに挿通されたシャフト５０との間にがたを有さないようになっている。また、ベアリングＢ２は、その外側リングＢ２ｂの上下が筐体２０の下軸孔２２ｈの補強部２２ａと固定具５２とにより挟持されることにより、同筐体２０に対してがたなどの無い高い剛性にて固定される。
【００４７】
これにより、シャフト５０は、第２のアーム１５に対してベアリングＢ２の回転方向以外の方向には高い剛性を有して固定されるとともに、第２モーターＭ２によって減速機２６を介して正逆回転されることで、第２のアーム１５に対して軸心Ｃ２を中心にして回動するようになっている。
【００４８】
シャフト５０のフランジ５０Ｆの下面には、その下面に形成された貫通孔５９ｈの開口と第１のアーム１３の先端部の連結孔１３ａとが対応するように第１のアーム１３の先端部が連結固定されている。その結果、第２モーターＭ２がシャフト５０を正逆回転させるときに同シャフト５０から同第２モーターＭ２が受ける反力により、第２のアーム１５は軸心Ｃ２を中心にして第１のアーム１３に対して水平方向に回動、すなわち水平旋回する。また、第２のアーム１５は第１のアーム１３に対してベアリングＢ２の回転方向以外の方向への力が印加される場合には、同力に対して高い剛性を有する。
【００４９】
第２のアーム１５の先端部には、上下回転軸筒１５Ａが設けられている。上下回転軸筒１５Ａは、上下回転軸１６を回転可能に、かつ、上下方向に移動可能に支持している。上下回転軸１６は、第２のアーム１５内に備えられた回転モーターＭ３の正逆回転によって自らの軸心Ｃ３を中心にして正逆回転される。また、上下回転軸１６は、第２のアーム１５内に備えられた昇降モーターＭ４の正逆回転によって上下方向に昇降移動され、その昇降移動によりその下端部１７を昇降させる。上下回転軸１６の下端部１７には、ツール、例えば被搬送物を把持するハンドや被加工物を加工するハンド等の取り付けが可能になっている。すなわちツールは、下端部１７とともに昇降される。そして、ロボットは、下端部１７に取り付けられた各ツールによって、部品を搬送したり、部品を加工したりするようになっている。
【００５０】
すなわち、第２のアーム１５は、その先端部にツールの動作により上下方向などへの力（応力や反力）を受け、その力が支持軸装置１４に印加されるようになるが、上述のように、回動方向ではない方向に対しては高い剛性を有し第１のアーム１３に連結されているので、上下への振動などが抑制される。これにより、下端部１７のツールによる上下方向への部品搬送や部品加工などの動作が、第１のアーム１３と第２のアーム１５とを連結させる支持軸装置１４の剛性により所望の精度で行なわれるようになる。
【００５１】
ところで、ロボットの内部には、第２のアーム１５に設置された各種機器に接続される各配線を取りまとめている直径Ｄｃの配線ケーブルＣＢが、基台１１内から第１のアーム１３内を通りシャフト５０内の貫通孔５９ｈを介して、第２のアーム１５内まで配置されている。配線ケーブルＣＢには、第２のアーム１５に設置されている各モーターＭ２〜Ｍ
４に電力を供給する電力線や、同設置されている各センサーなどの各種装置の信号を伝達する信号線などからなる各種接続配線などが設けられている。すなわち、貫通孔５９ｈの内径や開口部５７の上下方向の長さＬ２や周方向の中心角は、少なくとも直径Ｄｃの配線ケーブルＣＢが貫通孔５９ｈや開口部５７に余裕を有し挿通される大きさにもなっている。そしてこの配線ケーブルＣＢは、第２モーターＭ２や減速機２６などの駆動装置の軸部を挿通せずに済むようにシャフト５０の側面の開口部５７から第２のアーム１５内に内部配置され、その先端部分が第２モーターＭ２のフランジ２５Ｆに固定された支持具６０に固定具６１を介して固定されている。固定具６１に固定された配線ケーブルＣＢの先端部からは各種接続配線が、それらに対応するそれぞれの機器へ向かい分配されるように延出されている。なお図２においては、説明の便宜上、それら各種接続配線についての描画を省略している。
【００５２】
これにより本実施形態では、配線ケーブルＣＢがロボット内に内部配置された場合であれ、同配線ケーブルＣＢが、支持軸装置１４に駆動力を伝達させる駆動装置には挿通されないようになる。そのため、配線ケーブルＣＢのロボット内への内部配置に伴い、駆動装置の構造を大きくする必要性や複雑化するような必要性が無くなり、第２モーターＭ２や減速機２６としては従来から採用されているものや、さらに小型のものを採用することができるようにもなる。またそれら第２モーターＭ２や減速機２６の取り付け構造も、モーター保持筒２４に各フランジ２５Ｆ，２６Ｆを介して取り付けられるなど簡単な構造ともなる。それゆえ、稼働部や回動部、歯車などを有し多少なりともメンテナンスが要求される駆動装置のメンテナンス性が低下されるおそれは少なく、メンテナンス性は少なくとも従来と同等程度に維持されるようになる。
【００５３】
また、第１のアーム１３と第２のアーム１５との間にて回転軸方向以外への方向へ印加される力に対する剛性は、フランジ５０Ｆと円筒部５９及びベアリングＢ２により維持されるようになっている。このことから、シャフト５０の柱状部５０Ｂは第２のアーム１５の回転方向への駆動力や慣性力に対する剛性のみを有すればよい。すなわち、このようなシャフト５０としては、その上部と下部との間に回転方向への剛性を有するような断面を有する柱状部５０Ｂが設けられさえすれば、そこには大きな開口部５７を形成することができるようになる。大きな開口部５７によればそこに配置される配線ケーブルＣＢの自由度が大きくなり、配線ケーブルＣＢに印加されるよじれや張力を抑制することができるようになる。また、開口部５７の周方向への開口（中心角θ２）が広くなれば、開口部５７の周方向側面（柱状部５０Ｂの側面）が配線ケーブルＣＢに接しない角度が大きくなり、シャフト５０の回転角度が広くなるようになる。
【００５４】
ちなみに、本実施形態では、図４において、柱状部５０Ｂの一側面が配線ケーブルＣＢに接する位置から、柱状部５０Ｂの他側面が配線ケーブルＣＢに接する位置まで、シャフト５０の回動できる角度は配線ケーブルＣＢの太さ（直径Ｄｃ）の影響などにより約１８０度となる。しかしながら、配線ケーブルＣＢが柱状部５０Ｂの一側面や他側面に接した後であっても、内部配線された配線ケーブルＣＢが貫通孔５９ｈにて有している遊びの長さや柔軟性などにより、さらに大きく回動、例えばそれぞれの回転方向にさらに２０度〜３０度回動させることができるようになる。
【００５５】
すなわち、このようなシャフト５０を用いるロボットは、その関節部において同関節部の剛性が維持され、内部配置された配線ケーブルＣＢの機械的な信頼性が維持されるとともに広い旋回角度を移動することが可能になる。
【００５６】
以上説明したように、本実施形態の水平多関節型ロボットによれば以下のような効果を得ることができる。
（１）ロボットの先端側に設置された各種装置用の配線ケーブルＣＢが第２のアーム１
５を回動させるシャフト５０内に挿通される場合であれ、その配線ケーブルＣＢがシャフト５０の途中の開口部５７から第２のアーム１５内に引出すようにした。これにより、シャフト５０の先端に連結される第２モーターＭ２や減速機２６などの駆動装置には配線ケーブルＣＢが挿通されないようになる。すなわち、稼動部を有し摩擦や発熱を生じるため手厚いメンテナンスが必要とされる駆動装置の内部に配線ケーブルＣＢを配置させる必要がなくなる。このことにより、第１のアーム１３と第２のアーム１５との関節部を構成するシャフト５０内に配線ケーブルＣＢが配置されつつも駆動装置のメンテナンス性が変化したり低下したりすることがなく、メンテナンス性は配線が外部に配置されるロボットと同様に維持される。その結果、水平多関節型ロボットに、メンテナンス性を維持しつつ接続配線を内部配置することができる。
【００５７】
（２）また、この配線ケーブルＣＢの内部配置は駆動装置への影響がほとんど生じないため、従来からの駆動装置を有するロボットへの適用も容易であり、すなわち、従来と同様の高い位置決め精度がきわめて容易に維持される。さらに、駆動装置への影響がほとんど生じないことから、その設計の自由度が高く維持され、多くの水平多関節型ロボットへの適用可能性が高い。
【００５８】
（３）シャフト５０は貫通孔５９ｈが内設されている位置にてベアリングＢ２を介して回転可能に第２のアーム１５の筐体２０に支持されるようにした。これにより、第１のアーム１３と第２のアーム１５とは、円筒形状のシャフト５０にて直接連結及び支持されるようになり、第１のアーム１３と第２のアーム１５との間の旋回方向や上下方向の剛性が高く維持されるようになる。
【００５９】
（４）また、第１のアーム１３と第２のアーム１５の間の回動や剛性を主にベアリングの軸受けにより維持される簡単な構造としたことにより、メンテナンス性が向上される。
（５）駆動装置とシャフト５０との軸心を一直線に配置させた。これにより、駆動装置からシャフト５０への駆動力の伝達経路の構成が簡単化されるようになり、動力伝達の効率が高められるとともに、設計が容易にもなる。
【００６０】
（６）開口部５７の周方向への開口をシャフト５０の中心軸（軸心Ｃ２）に対して２７０度以上にした。これにより、貫通孔５９ｈから第２のアーム１５側に引出された配線ケーブルＣＢは、同配線ケーブルＣＢの両外側面に広いスペースを有するようになり、シャフト５０が旋回されるとき、同配線ケーブルＣＢの両外側面が貫通孔５９ｈの開口部５７の旋回方向の端部に接触しない中心角が大きくなる。これにより、このような貫通孔５９ｈにより配線ケーブルＣＢが内部配置されるロボットの旋回範囲を広くすることができる。また、配線ケーブルＣＢが開口部５７の旋回方向の端部に接しない角度が大きくなれば、旋回時に配線ケーブルＣＢに応力や張力が印加されるおそれも低減され、配線ケーブルＣＢの機械的な信頼性が維持されるようにもなる。
【００６１】
（７）開口部５７の中心角が最も大きいときに柱状部５０Ｂの外側面５７Ｆと内側面５７Ｒとの間の肉厚が同シャフト５０のシャフト径Ｄ１の１／５以上とした。これにより、シャフト５０がその基端部と先端部との間に大きな開口部５７を有するような場合であれ、シャフト５０の肉厚を十分に維持することにより、シャフト５０の先端部に伝達される回転駆動力をシャフト５０の基端部を介して第１のアーム１３に伝達することができるようになる。
【００６２】
（８）シャフト５０において、天面５６の下面、柱状部５０Ｂ、底円部５８及び貫通孔５９ｈを構成する各表面は、それぞれ段差などの角部を有さない連続面として形成し、さらにそれら連続面同士も角部を有さない滑らかな一体の連続面として形成した。これにより、シャフト５０は、貫通孔５９ｈが形成された場合であれ応力集中を生じるような角部
を有する非連続面などが形成されないことから、その機械的な信頼性が確保されるようになる。配線ケーブルＣＢは、貫通孔５９ｈが連続面であれば同面との間に生じる摩擦力が低く抑えられるようになり、機械的な信頼性の低下が抑制されるようになる。
【００６３】
（９）第１のアーム１３を中空としたことにより、シャフト５０内から第１のアーム１３内まで配線ケーブルＣＢを内部配置することができるようになる。また、配線ケーブルＣＢがシャフト５０内及び第１のアーム１３内を通るためにその対環境性能がより一層高められる。さらに、ロボット内部の気密性が求められるクリーン環境などにおいては、シャフト内及びアーム内を通じてロボット先端までの内部空間を気密することもできるようになる。
【００６４】
（１０）第２のアーム１５において配線ケーブルＣＢを後端側に引出すようにした。これにより、軸心Ｃ２を中心としたとき、第２のアーム１５の前後の質量のバランス均衡がわずかながらも改善される。また通常、第２のアーム１５の後方部分の利用価値が低いので、後方部分に配線ケーブルＣＢを引き回すことにより第２のアーム１５の前方部分における各種装置の配置の自由度が制約されない。
【００６５】
尚、上記実施形態は以下のように変更してもよい。
・上記実施形態では、配線ケーブルＣＢの先端部分は第２のアーム１５に支持具６０及び固定具６１により固定された。しかしこれに限らず、配線ケーブルの先端部分はアームに移動可能な態様で保持されてもよい。例えば、図６に示すように、第２モーターＭ２の周囲に軸心Ｃ２を中心に回転可能な回転具６５を設け、配線ケーブルの先端部分を支持具６６と固定具６１とを介して回転具６５に連結させてもよい。これにより、配線ケーブルＣＢはシャフト５０の回転により開口部の周方向端部にその外側面が接触するような場合でも、回転具６５の回動可能な範囲だけさらにシャフト５０の回転につれまわされるようになる。すなわち、配線ケーブルには開口部の周方向端部から高い張力やよじれ等が印加されることが抑制されつつ、シャフトの回転角度すなわちアームの回動角度を大きくすることができるようになる。これにより、アームの旋回角度を広くしつつ、配線ケーブルの機械的な信頼性が維持されるようになる。
【００６６】
・上記実施形態では、配線ケーブルＣＢの先端部分はフランジ２５Ｆに支持具６０及び固定具６１により固定された。これに限らず、配線ケーブルは開口部よりももっと上方、例えばモーターの反出力軸側端部に固定されるようにしてもよい。これによれば、開口端から先端部までの配線ケーブルの配置距離が長くなり、配線ケーブルの外側面がシャフトの回転により開口部の周方向端部に接触して引っ張られるような場合であれ、従来に加えて多少の角度例えば５〜６度であれば、配線ケーブルに高い張力やよじれ等が印加されることが抑制されるようにもなる。さらに、予め従来よりも多めの弛み（遊び）を与えておくこともできるようにもなり、これによっても、配線ケーブルに高い張力やよじれ等が印加されることが抑制されるようにもなる。その結果、配線ケーブルの機械的な信頼性が好適に維持されるようにもなる。
【００６７】
・上記実施形態では、開口部５７は第２のアーム１５の後方に向かって開口された。しかしこれに限らず、開口部はアームのどちら側に向いていてもよい。一般的に、アームの後方はその利用可能性が低く配線の配置には適しているが、アームの仕様に応じてその向きを自由に変更することができることにより、このようなシャフトのロボットへの適用の自由度が大きくなる。
【００６８】
・上記実施形態では、第１のアーム１３はアルミニウムなどにより形成されたが、金属材料としては、特にアルミニウムに限定されるものではなく、アームとしての高い剛性を維持することができる材料であれば、例えば、ステンレスや、鉄、鋳物などや、それら金
属やアルミニウムの少なくとも１つを含む合金であってもよい。さらには、それらを含む複数の金属や、樹脂材料の組合せにより形成されるものであってもよい。これにより、アームの選択自由度が高められる。
【００６９】
・上記実施形態では、第１のアーム１３は金属材料が押し出し材化により形成された。しかしこれに限らず、アームは高い剛性を有しかつ内部空間を有するように形成されるのであれば、鋳物やプレス、溶接加工や穴あけ加工などにより形成されてもよい。これによってもアームの選択自由度が高められる。
【００７０】
・上記実施形態では、シャフト５０を構成する天面５６の下面、柱状部５０Ｂ、底円部５８及び貫通孔５９ｈを形成する面は、段差を有しない連続面として形成された。しかしこれに限らず、応力集中が生じないような部分には段差などの角部が形成されてもよい。これにより、シャフトの形成の自由度が高められるようになる。
【００７１】
・上記実施形態では、柱状部５０Ｂの柱厚Ｔ３はシャフト径Ｄ１の１／２以下であるとともに１／５以上の厚みであった。しかしこれに限らず、柱状部は、上部突起とシャフト部との間で軸心を中心とした回転運動を伝達可能であれば、柱状部の柱厚がシャフト径Ｄ１の１／２よりも厚くても、シャフト径Ｄ１の１／５より薄くてもよい。すなわち、この値はロボットの運動特性やアーム材料などにより適切な値が異なるものであり、予め行われる実験や試験などにより適切な値が定められるようにしてもよい。これにより、ロボットの動作に応じたシャフトの形成の自由度が高められる。
【００７２】
・同様に、円筒部５９のアーム先端側の肉厚（厚みＴ２）とアーム後端側の肉厚（厚みＴ１）の値の和はシャフト径Ｄ１の１／２以下であるとともに１／５以上の厚みであった。しかしこれに限らず、円筒部が２つのアームを高い剛性にて連結可能であるならば、各厚みの和の値がシャフト径Ｄ１の１／２よりも厚くても、シャフト径Ｄ１の１／５より薄くてもよい。また、厚みＴ１が厚みＴ２と同じかそれより厚くてもよい。すなわち、この値もロボットの運動特性やアーム材料などにより適切な値が異なるものであり、予め行われる実験や試験などにより適切な値が定められるようにしてもよい。これによっても、ロボットの動作に応じたシャフトの形成の自由度が高められる。
【００７３】
・上記実施形態では、柱状部５０Ｂは、軸心Ｃ２からの中心角θ１がおよそ９０度以下の角度、本実施形態では７０〜８０度とされた。しかしこれに限らず、貫通孔に接続配線が適切に配線され、シャフトの回転角度が必要とされる角度だけ回転可能であるのであれば、柱状部の軸心からの中心角θ１は９０度よりも大きくてもよい。すなわち、この値についてもロボットの運動特性やアーム材料などにより適切な値が異なるものであり、予め行われる実験や試験などにより適切な値が定められるようにしてもよい。これによっても、シャフトを形成する際の形状の自由度が高められる。
【００７４】
・上記実施形態では、第２モーターＭ２、減速機２６及びシャフト５０とがそれら軸心を軸心Ｃ２に同心とし、軸心Ｃ２上に一列に配置された。しかしこれに限らず、シャフトに回転運動を伝達することができるのであれば、各軸心は全てが一列に並ぶ必要はない。例えば、入力軸と出力軸とが同心でない減速機の各軸に対応するモーターやシャフトの各軸心を対応させるように配置してもよいし、モーターをシャフトに平行に並べてモーターと減速機と間における回転力をプーリーとベルトにて伝達させるようにしてもよい。これにより、モーター、減速機及びシャフトの配置の自由度が高められ、このような関節部の構造の採用可能性が高められる。
【００７５】
・上記実施形態では、ベアリングＢ２はボールベアリングであったが、これに限らず、ベアリングはその他の構造の軸受け、例えばクロスローラ軸受け、ころ軸受け、すべり軸
受けなどであってもよい。これにより、ベアリングの選択自由度が高められるようになる。
【００７６】
・上記実施形態では、第１のアーム１３と第２のアーム１５はシャフト５０により連結されている簡単な構造であることから、第１のアーム１３と第２のアーム１５とが対向している部分の構造も簡単化されている。このことから、各アーム間におけるシャフトの周囲の利用可能性が高められ、例えば対向するアームの間にシャフト周囲を囲むシールを設置して、シャフト周囲の気密性を高めることなどが容易に行なえるようにもなる。例えばこのような気密性が各アーム間、及びアームと基台間において確保される場合には、ロボット全体としての気密性が高められるようになり、クリーンルームなど、気密性が要求する環境下へのロボットの採用可能性も高められるようになる。
【００７７】
・上記実施形態では、第１のアーム１３はシャフト５０を介してベアリングＢ２により第２のアーム１５に高い剛性のもとに連結された。しかしこれに限らず、第１のアーム１３と第２のアーム１５の間の剛性はその他の構成、例えば第１のアーム１３と第２のアーム１５との剛性を確保するベアリング機構などをシャフトの外周に設ける構成などにより確保されてもよい。これにより、ロボットの関節部の構成の自由度が高められ、このように接続配線を内部配置する構成の利用可能性が高められる。
【００７８】
・上記実施形態では、第１のアーム１３と第２のアーム１５の関節部にシャフト５０が設けられたが、これに限らず、シャフトは基台１１と第１のアーム１３との関節部の回転軸として設けられてもよい。例えば図７に示されるように、基台１１内に第１モーターＭ１に減速機（図示略）を介して連結されたシャフト７０を設けてもよい。この場合、シャフト７０には、上記実施形態の開口部５７や貫通孔５９ｈと同様の開口部７７や貫通孔７８を設け、そのフランジ７０ＦにはベアリングＢ１の内側リングをナット７１により固定し、ベアリングＢ１の外側リングを基台１１の上面１１ａに固定具７２により固定する。そして、フランジ７０Ｆに第１のアーム１３の基端部を連結固定することにより、第１のアーム１３を軸心Ｃ１に対して回動可能に基台１１に支持することができる。これにより、配線ケーブルＣＢを、基台１１の内部からシャフト７０の開口部７７と貫通孔７８及び第１のアーム１３の連結孔１３ｂを通じて第１のアーム１３の内部にまで、内部配置させることができるようになる。このことにより、このような構造がロボットの関節部に適用されるようになり、ロボットへの接続配線の内部配置が好適に行われるようになる。
【００７９】
・上記実施形態では、シャフト５０は鋳物により形成された。しかしこれに限らず、シャフト５０は軸心を中心とした回転に対して必要な剛性を有しかつ貫通孔を有するように形成されるのであれば、例えば穴あけ加工や切削加工、溶接などおよびそれらの組み合わせなどにより形成されてもよい。これによってシャフトの選択自由度が高められる。
【図面の簡単な説明】
【００８０】
【図１】本発明にかかる水平多関節型ロボットを具体化した一実施形態の斜視構造を示す斜視図。
【図２】同実施形態の多関節型ロボットの正面の断面構造を示す部分断面図。
【図３】同実施形態に用いられるシャフトの斜視構造を示す斜視図であって、（ａ）は右前上方向からの図、（ｂ）は左前上方向からの図。
【図４】同実施形態の関節部の図１の４−４線における断面構造を示す断面図。
【図５】同実施形態の関節部の図１の５−５線における断面構造を示す断面図。
【図６】その他の実施形態における接続配線を保持する構造を示す部分断面図。
【図７】さらにその他の実施形態における関節部の構造を示す部分断面図。
【符号の説明】
【００８１】
１１…基台、１１ａ…上面、１２…回転軸装置、１３…第１のアーム、１３ａ，１３ｂ…連結孔、１３ｃ…内部空間、１４…支持軸装置、１５…第２のアーム、１５Ａ…上下回転軸筒、１６…上下回転軸、１７…下端部、２０…筐体、２１…カバー、２２…底面、２２ａ…補強部、２２ｈ…下軸孔、２３…上面、２３ａ…補強部、２３ｈ…上軸孔、２４…モーター保持筒、２５Ｆ…フランジ、２６…減速機、２６Ｆ…フランジ、５０…シャフト、５０Ａ…上部突起、５０Ｂ…柱状部、５０Ｆ…フランジ、５１…ナット、５２…固定具、５５…ねじ孔、５６…天面、５７…開口部、５７Ｆ…外側面、５７Ｒ…内側面、５８…底円部、５９…円筒部、５９ｈ…貫通孔、６０，６６…配線保持装置を構成する支持具、６１…配線保持装置を構成する固定具、６５…配線保持装置を構成する回転具、７０…シャフト、７０Ｆ…フランジ、７１…ナット、７２…固定具、７７…開口部、７８…貫通孔、Ｂ１，Ｂ２…ベアリング、Ｃ１，Ｃ２，Ｃ３…軸心、ＣＢ…配線ケーブル、Ｍ１…第１モーター、Ｍ２…第２モーター、Ｍ３…回転モーター、Ｍ４…昇降モーター、Ｂ２ａ…内側リング、Ｂ２ｂ…外側リング。
【図１】
2010149214.tif 000003
【図２】
2010149214.tif 000004
【図３】
2010149214.tif 000005
【図４】
2010149214.tif 000006
【図５】
2010149214.tif 000007
【図６】
2010149214.tif 000008
【図７】
2010149214.tif 000009